(57)【特許請求の範囲】
【請求項１】
取付穴を有する天井に取り付けられ、下方に開口部を有する外枠と、
前記外枠の内側において隣接して並べられると共に、各々が、灯具本体と、灯具本体の下側に位置すると共に、下方に開口し、かつＬＥＤからの光を反射して前記開口から出射するリフレクタと、を備える第１灯具および第２灯具と、
を有し、
前記第１灯具および前記第２灯具の光出射側の隣接部は、第１灯具および該第２灯具の並び方向に直交し、かつ、前記天井に平行な方向である水平方向に設けられる回転中心としての共通支軸によって、前記外枠に回転自在に支持され、
前記第１灯具および前記第２灯具を、前記共通支軸を中心として同じ方向に回転させたときの、回転方向先頭側の灯具である前記第１灯具の、前記水平方向に対する最大の回転角をθ１とし、後続の灯具である前記第２灯具の、前記水平方向に対する最大の回転角をθ２とする場合に、
前記最大の回転角θ１だけ回転された前記第１灯具からの光は、前記外枠に遮られることなく前記天井の下方に照射され、
前記最大の回転角θ２だけ回転された前記第２灯具からの光は、前記外枠に遮られることなく前記天井の下方に照射され、
かつ、前記θ２は前記θ１よりも大きく設定される照明器具。
【請求項２】
請求項１に記載の照明器具において、
前記第１灯具および前記第２灯具を前記共通支軸を中心として同じ方向に回転した場合に、回転方向先頭側の灯具である前記第１灯具の一部が、第１ストッパ手段としての前記外枠の一部に当接し、これによって前記第１灯具の回転が規制される照明器具。
【請求項３】
請求項２に記載の照明器具において、
前記回転方向先頭側の灯具である前記第１灯具の回転が前記第１ストッパ手段によって規制された後、後続の灯具である前記第２灯具は、さらに、同方向に単独で回転され、
前記第２灯具の一部が、第２ストッパ手段としての前記外枠の他部に当接することによって、前記第２灯具の回転が規制され、または、第２ストッパ手段としての、前記第１灯具と前記第２灯具とが所定距離以上離れないように両灯具を繋ぐ手段によって、前記第２灯具の回転が規制される照明器具。
【発明の詳細な説明】
【技術分野】
【０００１】
本発明は、照射方向が変更可能な照明器具に関する。
【背景技術】
【０００２】
従来から天井埋込タイプの照明器具で直下方向だけでなく鉛直面を照射するために、首振機構を有したダウンライトが知られている。例えば特許文献１に記載の図４に示す照明器具１００は、筒型の本体枠１０１の内部に灯具１０２が収容されており、灯具１０２が灯具中心を傾斜自在としている。灯具１０２の内部には、ランプおよび反射板が収容されており、灯具１０２を本体枠１０１に対して不図示の首振機構で水平軸周りに回転させることで、照射方向が調整自在となる。
【先行技術文献】
【特許文献】
【０００３】
【特許文献１】実開昭６３−１０１４１１号公報（第１図）
【発明の概要】
【発明が解決しようとする課題】
【０００４】
しかしながら、上記の照明器具１００は、首振機構で回転させる程、自身の本体枠１０１で光が遮られ（所謂、蹴られ）るため、照射物に対して性能通りの明るさが確保できないばかりか、電力の浪費にもつながっていた。
【０００５】
本発明は上記状況に鑑みてなされたもので、その目的は、灯具の首振角を変えても光の蹴られを防止できる照明器具を提供することにある。
【課題を解決するための手段】
【０００６】
本発明に係る照明器具は、取付穴を有する天井に取り付けられ、下方に開口部を有する外枠と、前記外枠の内側において隣接して並べられると共に、各々が、灯具本体と、灯具本体の下側に位置すると共に、下方に開口し、かつＬＥＤからの光を反射して前記開口から出射するリフレクタと、を備える第１灯具および第２灯具と、を有し、前記第１灯具および前記第２灯具の光出射側の隣接部は、第１灯具および該第２灯具の並び方向に直交し、かつ、前記天井に平行な方向である水平方向に設けられる回転中心としての共通支軸によって、前記外枠に回転自在に支持され、前記第１灯具および前記第２灯具を、前記共通支軸を中心として同じ方向に回転させたときの、回転方向先頭側の灯具である前記第１灯具の、前記水平方向に対する最大の回転角をθ１とし、後続の灯具である前記第２灯具の、前記水平方向に対する最大の回転角をθ２とする場合に、前記最大の回転角θ１だけ回転された前記第１灯具からの光は、前記外枠に遮られることなく前記天井の下方に照射され、前記最大の回転角θ２だけ回転された前記第２灯具からの光は、前記外枠に遮られることなく前記天井の下方に照射され、かつ、前記θ２は前記θ１よりも大きく設定される
ものである。
【０００７】
また、本発明に係る照明器具は、前記第１灯具および前記第２灯具を前記共通支軸を中心として同じ方向に回転した場合に、回転方向先頭側の灯具である前記第１灯具の一部が、第１ストッパ手段としての前記外枠の一部に当接し、これによって前記第１灯具の回転が規制されるものである。
【０００８】
また、本発明に係る照明器具は、前記回転方向先頭側の灯具である前記第１灯具の回転が前記第１ストッパ手段によって規制された後、後続の灯具である前記第２灯具は、さらに、同方向に単独で回転され、前記第２灯具の一部が、第２ストッパ手段としての前記外枠の他部に当接することによって、前記第２灯具の回転が規制され、または、第２ストッパ手段としての、前記第１灯具と前記第２灯具とが所定距離以上離れないように両灯具を繋ぐ手段によって、前記第２灯具の回転が規制されるものである。
【発明の効果】
【０００９】
本発明に係る照明器具によれば、灯具の首振角を変えても光の蹴られを防止することができる。
【図面の簡単な説明】
【００１０】
【図１】本発明に係る照明器具の外枠を切り欠いた側面図
【図２】図１に示した第１灯具および第２灯具が回転された側面図
【図３】図２に示した第２灯具がさらに継続回転された側面図
【図４】（Ａ）は灯具が傾斜自在な従来の照明器具の側面図、（Ｂ）はその傾斜時の側面図
【発明を実施するための形態】
【００１１】
以下、本発明の実施形態を図面を参照して説明する。
図１は本発明に係る照明器具の外枠を切り欠いた側面図である。
照明器具１０は、天井１１に取り付けられ、下方に開口部１２の形成された外枠１３を有する。外枠１３は、本実施形態において円筒形に形成されるが、四角形であってもよい。開口部１２の外周には不図示の鍔部が形成され天井１１に形成した取付穴１４の周囲が目隠しされる。外枠１３の外周には先端が自由端となった不図示の取付バネが円周方向に等間隔で複数突出して設けられ、取付バネは鍔部とで取付穴１４の周縁を挟持して照明器具１０を天井１１に保持する。
【００１２】
開口部１２の一端１５から他端１６の間には、第１灯具１７および第２灯具１８が隣接して並べられている。これら第１灯具１７および第２灯具１８のそれぞれにはリフレクタ１９が設けられている。第１灯具１７は、ＬＥＤ２０からの光を集光して出射させる第１リフレクタ２１を有する。また、第２灯具１８は、ＬＥＤ２０からの光を集光して出射させる第２リフレクタ２２を有する。第１リフレクタ２１、第２リフレクタ２２は、第１灯具本体２３、第２灯具本体２４の下部側に設けられている。
【００１３】
第１灯具本体２３、第２灯具本体２４は、上方に向かって徐々に細くなる錐形であることが好ましい。これにより、外枠１３と干渉し難くして後述の照射方向変更時の回転角度を大きく確保可能にできる。第１灯具本体２３と第２灯具本体２４とには、ＬＥＤ２０に点灯のための電力を供給する不図示の点灯電源装置が取り付けられる。点灯電源装置は、電源端子台を有し、外部の商用電源が電気的に接続される。また、第１灯具本体２３の外周、第２灯具本体２４の外周には、ＬＥＤ２０の熱を放熱するためのフィンが設けられてもよい。
【００１４】
本実施形態において、第１灯具１７と第２灯具１８とは、開口部１２を二分割して配置される同じ大きさに形成されている。この他、第１灯具１７と第２灯具１８とは、一方が開口部１２の１／３程度の大きさで他方が開口部１２の２／３程度の異サイズのものであってもよい。また、本実施形態において、第１リフレクタ２１と第２リフレクタ２２は、光出射開口が円形に形成されている。この他、第１リフレクタ２１と第２リフレクタ２２とは、外枠１３の開口部１２を略半分にした半円形の光出射開口としたものであってもよい。この場合、半円形状の弦同士が隣接部２５となる。
【００１５】
第１灯具１７および第２灯具１８の光出射側の隣接部２５は、共通支軸２６によって外枠１３に回転自在に支持されている。共通支軸２６は、第１灯具１７および第２灯具１８の並び方向に直交、かつ、水平方向の回転中心で、第１灯具１７および第２灯具１８を支持する。
ここで、第１灯具１７と第２灯具１８との並び方向とは、図１の左右方向を言う。また、水平方向とは、天井１１に沿う方向を言う。従って、第１灯具１７および第２灯具１８の並び方向に直交、かつ、水平方向とは、図１の紙面に垂直な方向を言う。
【００１６】
図２は図１に示した第１灯具１７および第２灯具１８が回転された側面図である。
照明器具１０では、共通支軸２６を回転中心として第１灯具１７および第２灯具１８を回転したときに、回転方向先頭側となるリフレクタ１９の回転を規制する第１ストッパ手段２７が外枠１３とリフレクタ１９とに亘って設けられている。第１灯具１７および第２灯具１８が時計回りに回転された図２では、第１灯具１７の第１リフレクタ２１が、回転方向先頭側のリフレクタ１９となる。反時計回りに回転されれば、第２灯具１８の第２リフレクタ２２が回転方向先頭側のリフレクタ１９となる。
【００１７】
第１ストッパ手段２７は、例えばリフレクタ１９の後側角部２８と、外枠１３の後方開口縁２９とすることができる。この他、第１ストッパ手段２７は、外枠１３と第１灯具本体２３とに亘って、外枠１３と第２灯具本体２４とに亘って設けられてもよい。
【００１８】
照明器具１０は、第１ストッパ手段２７が設けられることで、第１灯具１７と第２灯具１８とが共通支軸２６を中心に一体に回転され、回転方向の先頭側となるリフレクタ１９の出射光が外枠１３の開口部１２に遮られる位置に達すると、この回転方向先頭側となるリフレクタ１９が第１ストッパ手段２７に当たり、それ以上の回転が規制されて、出射光に蹴られが生じなくなる。
【００１９】
図３は図２に示した第２灯具１８がさらに継続回転された側面図である。
また、照明器具１０は、外枠１３とリフレクタ１９とに亘って第２ストッパ手段３０が設けられている。第２ストッパ手段３０は、回転方向先頭側となるリフレクタ１９が第１ストッパ手段２７にて回転規制されてから、所定回転角度で同方向に独立回転された後続のリフレクタ１９の回転を規制する。
ここで、後続のリフレクタ１９とは、第２灯具本体２４の第２リフレクタ２２である。
【００２０】
第２ストッパ手段３０は、例えば第２灯具本体２４および第１灯具本体２３と、外枠１３の後方開口縁２９とすることができる。この他、第２ストッパ手段３０は、第１灯具本体２３と第２灯具本体２４とが一定以上開かないように繋ぐ図示しない紐、帯、チェーン、ワイヤ等であってもよい。
【００２１】
照明器具１０は、回転方向先頭側となるリフレクタ１９が第１ストッパ手段２７に当たって回転が停止した後、後続のリフレクタ１９はさらに同方向に回転される。後続のリフレクタ１９からの出射光が回転方向先頭側となるリフレクタ１９の出射光の範囲に重なり、さらに交差してその照射範囲の回転方向外側に照射範囲が向けられる。後続のリフレクタ１９は、出射光が外枠１３の開口部１２に遮られる位置に達すると、第２ストッパ手段３０に当たり、それ以上の回転が規制されて、出射光に蹴られが生じない。
【００２２】
次に、上記の構成を有する照明器具１０の作用を説明する。
照明器具１０では、第１灯具１７、第２灯具１８のＬＥＤ２０が駆動されると、ＬＥＤ２０からの光がそれぞれの第１リフレクタ２１、第２リフレクタ２２によって反射され、図１に示すように、照明光が所定範囲に照射される。この直下照明時では、それぞれ左側のリフレクタ１９が左側の照射面を照射し、右側のリフレクタ１９が右側の照射面を照射する。
【００２３】
図２に示すように、第１灯具１７と第２灯具１８とが共通支軸２６を中心に例えば時計回りで一体に回転され、回転方向の先頭側となる第１リフレクタ２１の出射光が外枠１３の開口部１２に遮られる位置に達すると、この第１リフレクタ２１の回転が第１ストッパ手段２７によって停止される。すなわち、第１リフレクタ２１は、天井１１との成す角度θ１で回転が止まる。
【００２４】
一方、この回転方向先頭側となる第１リフレクタ２１と共に回転される後続の第２リフレクタ２２は、さらに回転される。この回転は、図３に示すように、後続の第２リフレクタ２２からの出射光が外枠１３の開口部１２に遮られる位置まで可能となる。すなわち、第２リフレクタ２２は、天井１１との成す角度θ２で回転が止まる。この照射方向変更時では、それぞれ左側のリフレクタ１９が右側の照射面を照射し、右側のリフレクタ１９が左側の照射面を照射することが可能となる。この角度θ２は、０〜９０度の範囲とすることができる。これにより、第１灯具１７と第２灯具１８からの出射光を重ねたり、交差させたりして、外枠１３に遮られることなく照射角度の変更が可能となる。
【００２５】
従って、本実施形態に係る照明器具１０によれば、灯具の首振角を変えても光の蹴られを防止することができる。
【符号の説明】
【００２６】
１０  照明器具
１１  天井
１２  開口部
１３  外枠
１５  一端
１６  他端
１７  第１灯具
１８  第２灯具
１９  リフレクタ
２０  ＬＥＤ
２１  第１リフレクタ（回転方向先頭側となるリフレクタ）
２２  第２リフレクタ（後続のリフレクタ）
２５  隣接部
２６  共通支軸
２７  第１ストッパ手段
３０  第２ストッパ手段
【図１】
0005760180.tif 000002
【図２】
0005760180.tif 000003
【図３】
0005760180.tif 000004
【図４】
0005760180.tif 000005